(57)【特許請求の範囲】
【請求項１】
金属製の直列ユニット本体と、樹脂製の端子台と、前記直列ユニット本体の下面に嵌着された金属製のケースカバーとから構成されている直列ユニットであって、
前記直列ユニット本体は、
高周波信号が入力される少なくとも１つの入力端子が設けられており、内部に回路基板が収納される収納空間の四方を囲む側壁部と、
該側壁部の上面であって、入力された高周波信号を出力する出力端子と、該出力端子の根元に形成される円形の両側が切り欠かれた円板部と、前記出力端子の周囲であって前記円板部上に形成される係合突出部とを備える上面部とからなり、
前記端子台は、
四方を囲む端子台側壁部と、
該端子台側壁部の上面であって、前記出力端子が挿通可能な貫通孔が形成されているリング状底部を底面とする円筒状突出部が形成されている上面部と、
前記端子台側壁部の対向する辺から下方へ延伸されていると共に長溝が形成されている下方延伸部と、
を備える台本体部からなり、
前記直列ユニット本体を、前記端子台に対して約９０°回転させた状態で前記端子台の下面から嵌挿させて、前記出力端子を前記貫通孔を挿通させて前記円筒状突出部内に配置し、前記係合突出部が前記端子台側壁部を越えるよう前記直列ユニット本体を回転させることにより、前記円板部の周縁が前記長溝に嵌挿されて、前記直列ユニット本体が前記端子台から抜け出ることなく回転可能となることを特徴とする直列ユニット。
【請求項２】
前記直列ユニットを前記端子台に対して回転させた時に、前記係合突出部の端部が前記端子台側壁部の内面に当接するまで回動可能とされていることを特徴とする請求項１記載の直列ユニット。
【請求項３】
対向する前記端子台側壁部から外方へ突出して取付部がそれぞれ形成されており、該取付部の先端に形成された係合爪が取付枠に係合されて固着されることを特徴とする請求項１または２記載の直列ユニット。
【発明の詳細な説明】
【技術分野】
【０００１】
本発明は、テレビジョン信号などの宅内共聴用に用いられる直列ユニットに関するものである。
【背景技術】
【０００２】
建物の各部屋の壁面には、テレビジョン信号等を出力する端子を有する直列ユニットと呼ばれる端子装置が設けられるのが一般的とされており、この直列ユニットからはケーブルテレビシステムからのテレビジョン信号や、建物の屋根等に設置されたテレビアンテナからのテレビジョン信号を出力することができる。この直列ユニットの従来の例を図３６（ａ）（ｂ）に示す。図３６（ａ）は直列ユニット１００の構成を示す正面図であり、図３６（ｂ）は直列ユニット１００の構成をＫ−Ｋ断面図で示す側面図である。
これらの図に示す直列ユニット１００において、テレビジョン信号は第１同軸ケーブル１１３を介して直列ユニット１００が収納されているスイッチボックス１１１内に導かれ、第１同軸ケーブル１１３の先端に装着されている第１プラグ１１３ａが直列ユニット１００の第１端子１０１ａに取り付けられている。供給されたテレビジョン信号は、直列ユニット１００内において分岐され、分岐されたテレビジョン信号がＴＶ端子１０１ｂから出力され、分岐後のテレビジョン信号が第２端子１０１ｃから出力される。直列ユニット１００の第２端子１０１ｃには、第２同軸ケーブル１１４の先端に装着されている第２プラグ１１４ａが取り付けられており、第２端子１０１ｃから出力されるテレビジョン信号は、同軸ケーブル１１４を介して次の直列ユニット等に送られるようになる。
【０００３】
スイッチボックス１１１は、底面と底面の４辺から立ち上がる側部とにより構成され、前面が開口した箱状とされている。スイッチボックス１１１の短片側のほぼ中央にそれぞれボス１１６ａ，１１６ｂが立設されて形成されており、ボス１１６ａ，１１６ｂにはネジ孔が形成されている。そして、スイッチボックス１１１の前面に詳細構成を省略する取付枠１１２を配置して、２本のネジ１１５をそれぞれボス１１６ａ，１１６ｂに螺着することにより、スイッチボックス１１１に取付枠１１２を固着している。取付枠１１２には直列ユニット１００が取り付けられていることから、スイッチボックス１１１に取付枠１１２を固着することにより、直列ユニット１００がスイッチボックス１１１内に収納されるようになる。また、スイッチボックス１１１の前面にはカバー１１０が取り付けられる。カバー１１０は、スイッチボックス１１１の前面を塞ぐ化粧カバーでありほぼ中央に矩形の貫通孔が設けられており、貫通孔内にＴＶ端子１０１ｂが設けられている矩形の直列ユニット１００の本体部が嵌挿されている。これにより、テレビションから導出された同軸ケーブルの先端に装着されているプラグを、ＴＶ端子１０１ｂに取り付けることにより、テレビジョンにテレビジョン信号が供給されるようになる。
【０００４】
ところで、スイッチボックス１１１は宅内の壁面に埋め込むように取り付けられることが一般的とされており、壁内における同軸ケーブルの配線に応じてスイッチボックス１１１に導入される同軸ケーブルの引き込み位置が異なるようになる。同軸ケーブルの引き込み位置が異なる態様を図３７（ａ）〜（ｃ）に示す。ただし、図３７（ａ）〜（ｃ）ではカバー１１０および取付枠１１２を省略して示している。
スイッチボックス１１１内に導入される第１同軸ケーブル１１３および第２同軸ケーブル１１４の第１の引き込み態様を図３７（ａ）に示すが、第１の引き込み態様では第１同軸ケーブル１１３が左上から、第２同軸ケーブル１１４が右下からスイッチボックス１１１内に引き込まれている。また、第２の引き込み態様を図３７（ｂ）に示すが、第２の引き込み態様では第１同軸ケーブル１１３が左上から、第２同軸ケーブル１１４が左下からスイッチボックス１１１内に引き込まれている。さらに、第３の引き込み態様を図３７（ｃ）に示すが、第３の引き込み態様では第１同軸ケーブル１１３が左上から、第２同軸ケーブル１１４が右上からスイッチボックス１１１内に引き込まれている。
【０００５】
図３７（ａ）〜（ｃ）に示す引き込み態様において、図３７（ａ）に示す第１の引き込み態様では同軸ケーブル１１３，１１４の曲がりが小さく、同軸ケーブル１１３，１１４にかかるストレスは余り大きくない。しかし、図３７（ｂ）に示す第２の引き込み態様そして図３７（ｃ）に示す第３の引き込み態様になると同軸ケーブル１１３，１１４の曲がりが大きくなって、同軸ケーブル１１３，１１４にかかるストレスが大きくなる。同軸ケーブル１１３，１１４は、図示する太さより太い同軸ケーブルが使用されることから同軸ケーブル１１３，１１４にかかるストレスはより大きくなってしまうことになる。
【０００６】
同軸ケーブルにかかるストレスを小さくするために、端子を回動できるようにした直列ユニットが従来知られている（特許文献１ないし特許文献３参照）。端子を回動できるようにした従来の直列ユニットにおいては、端子に取り付けた同軸ケーブルにかかるストレスが減少するように端子が回動されることから、同軸ケーブルにかかるストレスを小さくできるようになる。
【先行技術文献】
【特許文献】
【０００７】
【特許文献１】特開２００５−２２２８０４号公報
【特許文献２】特開２００８−９１３１８号公報
【特許文献３】特開２０１１−１５０８９１号公報
【発明の概要】
【発明が解決しようとする課題】
【０００８】
従来の端子を回動できるようにした直列ユニットにおいては、直列ユニットの本体部に対して端子を回動できるように構成されていることから、回動可能に端子を本体部に固着する複雑な構成が必要になるという問題点があり、このため、価格が高くなるという欠点があった。
そこで、本発明は、同軸ケーブルにかかるストレスを小さくできる構成を簡単化して価格を安価にすることができる直列ユニットを提供することを目的としている。
【課題を解決するための手段】
【０００９】
本発明は、ことを最も主要な特徴としている。
【発明の効果】
【００１０】
本発明によれば、することができる。
【図面の簡単な説明】
【００１１】
【図１】本発明の第１実施例にかかる直列ユニットの構成を示す平面図である。
【図２】本発明の第１実施例にかかる直列ユニットの構成を示す正面図である。
【図３】本発明の第１実施例にかかる直列ユニットの構成を示す側面図である。
【図４】本発明の第１実施例にかかる直列ユニットの構成を示す下面図である。
【図５】本発明の第１実施例にかかる直列ユニットの回動範囲を示す下面図である。
【図６】本発明の第１実施例の直列ユニットにおける直列ユニット本体の構成を示す平面図である。
【図７】本発明の第１実施例の直列ユニットにおける直列ユニット本体の構成を示す正面図である。
【図８】本発明の第１実施例の直列ユニットにおける直列ユニット本体の構成を示す側面図である。
【図９】本発明の第１実施例の直列ユニットにおける直列ユニット本体の構成をＡ−Ａ断面図で示す側面図である。
【図１０】本発明の第１実施例の直列ユニットにおける直列ユニット本体の構成をＢ−Ｂ断面図で示す側面図である。
【図１１】本発明の第１実施例の直列ユニットにおける直列ユニット本体の構成を示す下面図である。
【図１２】本発明の第１実施例の直列ユニットにおける直列ユニット本体の構成をＣ−Ｃ断面図で示す正面図である。
【図１３】本発明の第１実施例の直列ユニットにおける端子台の構成を示す平面図である。
【図１４】本発明の第１実施例の直列ユニットにおける端子台の構成を示す正面図である。
【図１５】本発明の第１実施例の直列ユニットにおける端子台の構成を示す下面図である。
【図１６】本発明の第１実施例の直列ユニットにおける端子台の構成を示す側面図である。
【図１７】本発明の第１実施例の直列ユニットにおける端子台の構成をＤ−Ｄ断面図で示す正面図である。
【図１８】本発明の第１実施例の直列ユニットにおける端子台の構成をＥ−Ｅ断面図で示す側面図である。
【図１９】本発明の第１実施例の直列ユニットにおけるケースカバーの構成を示す正面図である。
【図２０】本発明の第１実施例の直列ユニットにおけるケースカバーの構成を示す平面図である。
【図２１】本発明の第１実施例の直列ユニットにおけるケースカバーの構成を示す側面図である。
【図２２】本発明の第１実施例の直列ユニットの構成を示す分解組立図である。
【図２３】本発明の第１実施例の直列ユニットにおける組み立ておよび回動範囲を示す平面図である。
【図２４】本発明の第２実施例にかかる直列ユニットの構成を示す平面図である。
【図２５】本発明の第２実施例にかかる直列ユニットの構成を示す側面図である。
【図２６】本発明の第２実施例にかかる直列ユニットの構成を示す正面図である。
【図２７】本発明の第２実施例にかかる直列ユニットの構成を示す下面図である。
【図２８】本発明の第２実施例にかかる直列ユニットの回動範囲を示す下面図である。
【図２９】本発明の第２実施例の直列ユニットにおけるケースカバーの構成を示す平面図である。
【図３０】本発明の第２実施例の直列ユニットにおけるケースカバーの構成を示す側面図である。
【図３１】本発明の第２実施例の直列ユニットにおけるケースカバーの構成を示す正面図である。
【図３２】本発明の第２実施例の直列ユニットにおけるケースカバーの構成を示す下面図である。
【図３３】本発明の第２実施例の直列ユニットにおけるケースカバーの構成をＦ−Ｆ断面図で示す側面図である。
【図３４】本発明の第２実施例の直列ユニットにおけるケースカバーの構成をＧ−Ｇ断面図で示す正面図である。
【図３５】本発明の第２実施例の直列ユニットの構成を示す分解組立図である。
【図３６】従来の直列ユニットを備えるスイッチボックスの構成を示す正面図および側面図である。
【図３７】従来の直列ユニットを備えるスイッチボックスへの同軸ケーブルの引き込み態様を示す図である。
【発明を実施するための形態】
【００１２】
本発明の第１実施例の直列ユニット１の構成を図１ないし図４に示す。本発明の第１実施例にかかる直列ユニット１の構成を示す平面図を図１に、直列ユニット１の構成を示す正面図を図２に、直列ユニット１の構成を示す側面図を図３に、直列ユニット１の構成を示す下面図を図４に示す。
これらの図に示す本発明の第１実施例の直列ユニット１は、ダイカスト成形された金属製の直列ユニット本体１０と、モールド成形された樹脂製の端子台２０と、直列ユニット本体１０の下面に嵌着された金属製のケースカバー３０とから構成されている。直列ユニット本体１０は、端子台２０に嵌合されているが、直列ユニット本体１０は端子台２０に対して所定角度範囲において回動可能とされている。直列ユニット本体１０は、四方を囲む側壁部と、側壁部の上面に設けられた上面部とからなり、下面が開口されている。そして、側壁部と上面部とで囲まれた空間が分岐回路が組まれた回路基板の収納空間とされる。一方の長辺側の側壁部の右側から突出するように第１入出力端子１４ａが設けられており、この側壁部に対面する側壁部の右側から突出するように第２入出力端子１４ｃが設けられている。すなわち、第１入出力端子１４ａと第２入出力端子１４ｃとは互いに向かい合う角に設けられている。この第１入出力端子１４ａあるいは第２入出力端子１４ｃから入力されたテレビジョン信号は、収納空間に収納された回路基板上の分岐回路で分岐され、上面部に設けられているＴＶ端子１４ｂから分岐されたテレビジョン信号が出力される。また、テレビジョン信号が入力されなかった第１入出力端子１４ａあるいは第２入出力端子１４ｃからは、分岐後のテレビジョン信号が次の直列ユニットに向けて出力される。さらに、直列ユニット本体１０の下面に金属板からなるケースカバー３０が嵌合されて、収納空間の開口が閉塞されている。
【００１３】
端子台２０は、下面が開口された矩形の台本体部２１を備え、台本体部２１の両側からそれぞれ突出する取付部２４を有している。それぞれの取付部２４の先端の両側には、係合爪２４ａが突出してそれぞれ形成されている。図３６に示すスイッチボックス１１１の前面に取り付けられる取付枠１１２に直列ユニット１を取り付ける際に、この係合爪２４ａが取付枠１１２の係合部に係合されて直列ユニット１が取付枠に固着されるようになる。台本体部２１のほぼ中央の底面には貫通孔が形成されており、貫通孔に続く円筒状凹部が形成されている。この貫通孔にＴＶ端子１４ｂが挿通されて円筒状凹部内に配置されている。また、台本体部２１において取付部２４が突出して形成されている側壁部には、取付部２４の上面に接してコ字状の矩形突出部２３ａが形成されており、矩形突出部２３ａの内側に細長い係合溝２３ｂが形成されている。前記スイッチボックス１１１の前面に取り付けられる取付枠１１２にはいくつかの種類があり、係合爪２４ａが係合される係合部を有していない取付枠１１２は、係合溝２３ｂに嵌入される係合片を有している。そして、直列ユニット１を取り付ける際に、取付枠１１２の係合片を係合溝２３ｂにカシメると直列ユニット１が取付枠１１２に固着されるようになる。
【００１４】
さらに、取付部２４の下方に側壁部が延伸されて下方延伸部２５が形成されている。下方延伸部２５のほぼ中央に長手方向に細長い長溝２５ａが壁部を貫通して形成されている。この長溝２５ａに、直列ユニット本体１０のＴＶ端子１４ｂの根元に形成されている後述する円板部が回動可能に摺接しており、これにより、直列ユニット本体１０は端子台２０から抜け出ることなく所定角度範囲において端子台２０に対して回動可能となる。回動可能な所定角度範囲αを図５（ａ）（ｂ）に示す。図５（ａ）（ｂ）は直列ユニット１の下面図であり、図５（ａ）の二点鎖線で示す直列ユニット本体１０のように下面から見て右回転した際に所定角度範囲αまで回動させることができる。また、図５（ｂ）の二点鎖線で示す直列ユニット本体１０のように下面から見て左回転した際に所定角度範囲αまで回動させることができる。所定角度範囲αは約４０°とされている。このように、直列ユニット本体１０を端子台２０に対して回動可能とされていることから、直列ユニット１０に装着される同軸ケーブルにかかるストレスを小さくすることができる。また、直列ユニット本体１０自体が端子台２０に対して回動可能とされていることから、構成を簡単化して価格を安価にすることができる。
【００１５】
次に、本発明の第１実施例の直列ユニット１にかかる直列ユニット本体１０の詳細構成を図６ないし図１２に示す。直列ユニット本体１０の構成を示す平面図を図６に、直列ユニット本体１０の構成を示す正面図を図７に、直列ユニット本体１０の構成を示す側面図を図８に、直列ユニット本体１０の構成をＡ−Ａ断面図で示す側面図を図９に、直列ユニット本体１０の構成をＢ−Ｂ断面図で示す側面図を図９に、直列ユニット本体１０の構成を示す下面図を図１１に、直列ユニット本体１０の構成をＣ−Ｃ断面図で示す正面図を図１２に示す。
これらの図に示す本発明の第１実施例の直列ユニット１にかかる直列ユニット本体１０は、金属のダイカスト成形により作成されており、直列ユニット本体１０は、四方を囲む側壁部１５と、側壁部１５の上面に設けられた上面部１７とからなり、下面が開口されている本体ケース部１１を備えている。この側壁部１５と上面部１７とで囲まれた本体ケース部１１の空間が分岐回路が組まれた回路基板が収納される収納空間とされている。そして、一方の長辺側の側壁部１５の右側から外方へ突出するように第１入出力端子１４ａが設けられており、この側壁部１５に対面する側壁部１５の右側から外方へ突出するように第２入出力端子１４ｃが設けられている。すなわち、第１入出力端子１４ａと第２入出力端子１４ｃとは互いに向かい合う角に設けられている。
【００１６】
また、第１入出力端子１４ａおよび第２入出力端子１４ｃの根元部は、側壁部１５の内側にも突出しており、第１入出力端子１４ａおよび第２入出力端子１４ｃが形成されている側壁部１５の外面における角側の一部が切り欠かれて切欠部１５ａが形成されている。さらに、上面部１７のほぼ中央から外方へ突出してＴＶ端子１４ｂが形成されている。第１入出力端子１４ａ、ＴＶ端子１４ｂ、第２入出力端子１４ｃには、前記収納空間に連接される貫通孔がそれぞれ形成されている。この貫通孔内に、中心導体を保持する筒状絶縁体が嵌挿されることにより、第１入出力端子１４ａ、ＴＶ端子１４ｂ、第２入出力端子１４ｃは同軸コネクタとされる。
【００１７】
本体ケース部１１の上面部１７とＴＶ端子１４ｂとの間には、円板の両側を切り欠いた円板部１３が形成されており、円板部１３と上面部１７との間にリング状溝部１６が形成されている。円板部１３の直径は本体ケース部１１の長辺の長さとほぼ同じとされており、本体ケース部１１の長辺側において円板部１３の両側が切り欠かれて、本体ケース部１１の長辺側の側壁部１５の面より若干外方へ突出している。また、円板部１３の上面から一段上方へ突出する細長い円形突出部１２が形成されており、円形突出部１２から上方へ突出する所定幅の係合突出部１３ａが、円形突出部１２の両側にそれぞれ形成されている。係合突出部１３ａは本体ケース部１１の短辺側に形成されており、その外側面は上方に行くに従って厚さが次第に薄くなる斜面とされている。また、係合突出部１３ａの高さは約２ｍｍとされている。円形突出部１２および円板部１３は、ＴＶ端子１４ｂとほぼ同心とされ、その根元に形成されている。
【００１８】
本体ケース部１１の側壁部１５の短辺側の内面には縦方向に２本並んで細長い挟持リブ１５ｃが形成されている。挟持リブ１５ｃは対面する側壁部１５にそれぞれ形成されており、一方の挟持リブ１５ｃの高さが他方の挟持リブ１５ｃより高く形成されている。対面する側壁部１５に形成されている２組の挟持リブ１５ｃの間に回路基板が嵌挿され、背の高い方の挟持リブ１５ｃの先端が、回路基板に形成されているアースパターンにハンダつけされる。さらに、回路基板に形成されている所定のパターンと第１入出力端子１４ａ、ＴＶ端子１４ｂ、第２入出力端子１４ｃに嵌挿された筒状絶縁体で保持されている中心導体とが、リード線を介して電気的に接続（ハンダつけ）される。これにより、本体ケース部１１の収納空間内に回路基板を固着することができる。なお、短辺側の側壁部１５の下部は山形に形成されており、長辺側の側壁部１５の高さは入出力端子１４ａ，１４ｃが形成されている部位を除いてかなり低く形成されている。これにより、収納された回路基板に行うハンダつけ作業を側壁部１５に邪魔されることなく容易に行えるようになる。
また、本体ケース部１１の長辺側の側壁部１５の内面において、第１入出力端子１４ａと短辺側の側壁部１５との中間および第２入出力端子１４ｃと短辺側の側壁部１５との中間に、それぞれ縦方向にカバー押さえリブ１５ｄが形成されている。直列ユニット本体１０の下面にケースカバー３０が嵌合された際に、ケースカバー３０の端部がカバー押さえリブ１５ｄと側壁部１５の内面の間に挟持されるようになる。
【００１９】
次に、本発明の第１実施例の直列ユニット１にかかる端子台２０の詳細構成を図１３ないし図１８に示す。端子台２０の構成を示す平面図を図１３に、端子台２０の構成を示す正面図を図１４に、端子台２０の構成を示す下面図を図１５に、端子台２０の構成を示す側面図を図１６に、端子台２０の構成をＤ−Ｄ断面図で示す正面図を図１７に、端子台２０の構成をＥ−Ｅ断面図で示す側面図を図１８に示す。
これらの図に示す本発明の第１実施例の直列ユニット１にかかる端子台２０は、樹脂のモールド成形により作成されており、下面が開口された矩形の台本体部２１を備え、台本体部２１の短辺側の側壁部２３からそれぞれ突出する板状の取付部２４を有している。それぞれの取付部２４の先端の両側には、係合爪２４ａが突出してそれぞれ形成されている。前記スイッチボックス１１１の前面に取り付けられる取付枠１１２に直列ユニット１を取り付ける際に、この係合爪２４ａが取付枠１１２の係合部に係合されて直列ユニット１が取付枠１１２に固着されるようになる。台本体部２１のほぼ中央には円筒状凹部２１ｂが形成されているが、円筒状凹部２１ｂは、台本体部２１の上面部２２を下方に凹ませるよう形成されている円筒状突出部２６により形成されている。円筒状突出部２６の底面はリング状底部２６ａとされ、リング状底部２６ａのほぼ中央には貫通孔２１ｃが形成されている。この貫通孔２１ｃにＴＶ端子１４ｂが挿通されて円筒状凹部２１ｂ内に配置されるようになる。また、台本体部２１において取付部２４が突出して形成されている側壁部２３には、取付部２４の上側に接してコ字状の矩形突出部２３ａが形成されており、矩形突出部２３ａの内側には細長い係合溝２３ｂが形成されている。前記スイッチボックス１１１の前面に取り付けられる取付枠１１２にはいくつかの種類があり、係合爪２４ａが係合される係合部を有していない取付枠１１２は、係合溝２３ｂに嵌入される係合片を有している。そして、直列ユニット１を取り付ける際に、取付枠１１２の係合片が係合溝２３ｂ内に嵌入されるようカシメることにより、直列ユニット１が取付枠１１２に固着されるようになる。
【００２０】
さらに、取付部２４の下方に側壁部２３が延伸されて下方延伸部２５が形成されている。下方延伸部２５のほぼ中央であって取付部２４の下に長手方向に細長い長溝２５ａが側壁部２３を貫通して形成されている。この長溝２５ａには、直列ユニット本体１０のＴＶ端子１４ｂの根元に形成されている円板部１３の周縁を回動可能に嵌挿することができ、直列ユニット本体１０が端子台２０に嵌着された際に、円板部１３の周縁が長溝２５ａに嵌合されると、直列ユニット本体１０は端子台２０から抜け出ることなく所定角度範囲において端子台２０に対して回動可能となる。下方延伸部２５の下面の形状は、図１５に示すように中央部が外側に膨出した形状とされており、この膨出した部位に上記した長溝２５ａが形成されている。短辺側の側壁部２３の断面の形状は、下方延伸部２５の下面の形状と同様の形状とされていることから、四方を囲む側壁部２３の内面の形状は、図１３に破線で示す内面２１ｄの形状とされる。すなわち、４角の内面の角が円弧状の角とされている。対面して設けられている下方延伸部２５の間は、直列ユニット本体１０に形成されている円板部１３の、切り取られた部位の円板部１３の幅より広くされて、下方延伸部２５の間に配置した直列ユニット本体１０を回動することにより、円板部１３の周縁が長溝２５ａに回動可能に嵌合されるようになる。
【００２１】
次に、本発明の第１実施例の直列ユニット１にかかるケースカバー３０の構成を図１９ないし図２１に示す。ケースカバー３０の構成を示す正面図を図１９に、ケースカバー３０の構成を示す上面図を図２０に、ケースカバー３０の構成を示す側面図を図２１に示す。
ケースカバー３０は金属板を加工することにより作成されており、直列ユニット本体１０の開口されている下面に嵌合されて、直列ユニット本体１０の下面を閉塞している。図１９ないし図２１に示すように、ケースカバー３０はほぼコ字状に折曲された側部３０ｂを有し、折曲されている側部３０ｂと上部３０ａとの間の角に傾斜部３０ｃが形成されている。これにより、ケースカバー３０の側面の形状は、直列ユニット本体１０の側壁部１５の下辺に形成されている山形延伸部１５ｂの形状と同様とされている。また、それぞれの側部３０ｂの左端に切欠部３０ｄが形成されている。この切欠部３０ｄは、ケースカバー３０が直列ユニット本体１０の下面に嵌合された際に、第１入出力端子１４ａおよび第２入出力端子１４ｃの外周面に切欠部３０ｄが当接して、ケースカバー３０から第１入出力端子１４ａおよび第２入出力端子１４ｃを突出させるための切欠となる。
【００２２】
次に、本発明の第１実施例の直列ユニット１の構成を示す斜視図で示す分解組立図を図２２に示し、本発明の第１実施例の直列ユニット１の組み立ておよび組み立てられた際の回動範囲を示す平面図を図２３（ａ）〜（ｃ）に示す。
第１実施例の直列ユニット１を組み立てるには、まず、直列ユニット本体１０の第１入出力端子１４ａ内に中心導体が支持されている筒状絶縁体４０ａを挿通すると共に、ＴＶ端子１４ｂ内に中心導体が支持されている筒状絶縁体４０ｂを挿通し、さらに、第２入出力端子１４ｃ内に中心導体が支持されている筒状絶縁体４０ｃを挿通して、これらの端子を同軸プラグが装着可能な同軸コネクタとする。次いで、直列ユニット本体１０の側壁部１５により四方を囲まれている収納空間に下方から回路基板４１を直立させて対面する側壁部１５に形成されている挟持リブ１５ｃの間に挿入していく。そして、回路基板４１に形成されているアースパターンを背の高い方の挟持リブ１５ｃの先端にそれぞれハンダつけする。さらに、筒状絶縁体４０ａ〜４０ｃの後部から突出されている中心導体の端子を、それぞれ回路基板の所定のパターンにハンダつけする。これにより、第１入出力端子１４ａあるいは第２入出力端子１４ｃから入力されたテレビジョン信号が、回路基板４１上の分岐回路で分岐されてＴＶ端子１４ｂから出力されるようになる。この状態の直列ユニット本体１０の下面にケースカバー３０を嵌着する。この際に、ケースカバー３０の側部３０ｂの下縁はカバー押さえリブ１５ｄと側壁部１５との間に挟持され、ケースカバー３０が嵌着された直列ユニット本体１０はシールド構造となる。
なお、直列ユニット本体１０自体を端子台２０に対して回動可能とされていることから、直列ユニット１０に装着される同軸ケーブルにかかるストレスを小さくすることができると共に、構成を簡単化して価格を安価にすることができる。
【００２３】
この状態とされた直列ユニット本体１０を端子台２０に取り付ける。この場合、図２３（ａ）に示すように端子台２０に対して約９０°だけ直列ユニット本体１０を回転させた状態で、円形突出部１２の上面がリング状底部２６ａに当接するよう端子台２０の下面から嵌挿する。これにより、直列ユニット本体１０のＴＶ端子１４ｂが、端子台２０のリング状底部２６ａに形成されている貫通孔２１ｃ内に挿通されると共に、両側が切り欠かれている円板部１３が、端子台２０の内面２１ｄに沿って嵌挿されて２つの下方延伸部２５間に配置される。また、直列ユニット本体１０の円形突出部１２の外縁に対向して形成されている２つの係合突出部１３ａが、端子台２０の長辺側の側壁部２３の内面２１ｄにわずかな間隙をもって対面するようになる。次いで、直列ユニット本体１０を端子台２０に対して回転させていくと、２つの係合突出部１３ａがそれぞれ対面している側壁部２３の内面２１ｄに当接するが、さらに強く回転して行くと当該側壁部２３が係合突出部１３ａにより強く押圧されて、弾性的に外側に変形するようになって、係合突出部１３ａが当該側壁部２３を越えてさらに回転していき、２つの係合突出部１３ａが下方延伸部２５側の側壁部２３にそれぞれ対面するようになる。この時、円板部１３の円弧状の外縁部が端子台２０の下方延伸部２５に形成されている長溝２５ａ内に嵌挿されるようになる。これにより、第１実施例の直列ユニット１を組み立てることができる。
【００２４】
なお、第１実施例の直列ユニット１を組み立てた際には、端子台２０に対して直列ユニット本体１０を所定角度範囲において回動させることができる。この所定角度範囲は、端子台２０に対して直列ユニット本体１０を左回転させた場合は、図２３（ｂ）に示すように係合突出部１３ａにおける第１入出力端子１４ａおよび第２入出力端子１４ｃと逆側の端部が、端子台２０の長辺側の内面２１ｄに当接するまで回動することができる。また、端子台２０に対して直列ユニット本体１０を右回転させた場合は、図２３（ｃ）に示すように係合突出部１３ａにおける第１入出力端子１４ａおよび第２入出力端子１４ｃ側の端部が、端子台２０の長辺側の内面２１ｄに当接するまで回動することができる。この時の所定角度範囲は上記したように、左方向および右方向にそれぞれ約４０°とされる。
【００２５】
次に、本発明の第２実施例の直列ユニット２の構成を図２４ないし図２７に示す。本発明の第２実施例にかかる直列ユニット２の構成を示す平面図を図２４に、直列ユニット２の構成を示す側面図を図２５に、直列ユニット２の構成を示す正面図を図２６に、直列ユニット２の構成を示す下面図を図２７に示す。
これらの図に示す本発明の第２実施例の直列ユニット２は、端子台５０が縦長に構成されているが、直列ユニット本体１０は第１実施例の直列ユニット１と同様の構成とされている。また、ケースカバー３０も第１実施例の直列ユニット１と同様の構成とされている。そこで、直列ユニット本体１０およびケースカバー３０の説明は省略するが、本発明の第２実施例の直列ユニット２は、ダイカスト成形された金属製の直列ユニット本体１０と、モールド成形された樹脂製の端子台５０と、直列ユニット本体１０の下部に嵌着されている金属板からなるケースカバー３０から構成されている。
【００２６】
第２実施例の直列ユニット２において、端子台５０における台本体部５１の中央部の下方に側壁部が延伸されて下方延伸部５５が形成されている。下方延伸部５５のほぼ中央に長手方向に細長い長溝５５ａが壁部を貫通して形成されている。この長溝５５ａに、直列ユニット本体１０のＴＶ端子１４ｂの根元に形成されている円板部１３が回動可能に摺接しており、これにより、直列ユニット本体１０は端子台５０から抜け出ることなく所定角度範囲において端子台５０に対して回動可能となる。回動可能な所定角度範囲を図２８（ａ）（ｂ）に示す。図２８（ａ）（ｂ）は直列ユニット２の下面図であり、図２８（ａ）の二点鎖線で示す直列ユニット本体１０のように下面から見て右回転した際に約４０°とされる所定角度範囲まで回動させることができる。また、図２８（ｂ）の二点鎖線で示す直列ユニット本体１０のように下面から見て左回転した際に約４０°とされる所定角度範囲まで回動させることができる。
【００２７】
次に、本発明の第２実施例の直列ユニット２にかかる端子台５０の詳細構成を図２９ないし図３４に示す。端子台５０の構成を示す平面図を図２９に、端子台５０の構成を示す側面図を図３０に、端子台５０の構成を示す正面図を図３１に、端子台５０の構成を示す下面図を図３２に、端子台５０の構成をＦ−Ｆ断面図で示す側面図を図３３に、端子台５０の構成をＧ−Ｇ断面図で示す正面図を図３４に示す。
これらの図に示す本発明の第２実施例の直列ユニット２にかかる縦長の端子台５０は、樹脂のモールド成形により作成されており、下面が開口された矩形の台本体部５１を備え、縦長の台本体部５１は上部、中央部、下部にほぼ３分割されている。台本体部５１の上部の両側および下部の両側からは、それぞれ突出する合計４つの板状の取付部５４が形成されている。それぞれの取付部５４の先端の両側には、係合爪５４ａが突出してそれぞれ形成されている。前記スイッチボックス１１１の前面に取り付けられる取付枠１１２に直列ユニット２を取り付ける際に、この係合爪５４ａが取付枠１１２の係合部に係合されて直列ユニット２が取付枠に固着されるようになる。台本体部５１の中央部には円筒状凹部５１ｂが形成されているが、円筒状凹部５１ｂは、台本体部５１の上面部５２を下方に凹ませるよう形成されている円筒状突出部５６により形成されている。円筒状突出部５６の底面はリング状底部５６ａとされ、リング状底部５６ａのほぼ中央には貫通孔５１ｃが形成されている。
【００２８】
この貫通孔５１ｃにＴＶ端子１４ｂが挿通されて円筒状凹部５１ｂ内に配置されるようになる。また、台本体部５１の上部および下部において取付部５４が突出して形成されている側壁部５３には、取付部５４の上側に接してコ字状の矩形突出部５３ａが形成されており、矩形突出部５３ａの内側には細長い係合溝５３ｂが形成されている。前記スイッチボックス１１１の前面に取り付けられる取付枠１１２にはいくつかの種類があり、係合爪５４ａが係合される係合部を有していない取付枠１１２は、係合溝５３ｂに嵌入される係合片を有している。そして、直列ユニット２を取り付ける際に、取付枠１１２の係合片が係合溝５３ｂ内に嵌入されるようカシメることにより、直列ユニット２が取付枠１１２に固着されるようになる。
【００２９】
さらに、台本体部５１の中央部の下方に側壁部５３が延伸されて下方延伸部５５が形成されている。下方延伸部５５のほぼ中央であって取付部５４の下に長手方向に細長い長溝５５ａが側壁部５３を貫通して形成されている。この長溝５５ａには、直列ユニット本体１０のＴＶ端子１４ｂの根元に形成されている円板部１３の周縁が回動可能に嵌合することができ、直列ユニット本体１０が端子台５０に嵌着された際に、円板部１３の周縁が長溝５５ａに嵌合されると、直列ユニット本体１０は端子台５０から抜け出ることなく所定角度範囲において端子台５０に対して回動可能となる。下方延伸部５５の下面の形状は、図３２に示すように中央部が外側に膨出した形状とされており、この膨出した部位に上記した長溝５５ａが形成されている。台本体部５１の中央部の側壁部５３の断面の形状は、下方延伸部５５の下面の形状と同様の形状とされていることから、台本体部５１の中央部の側壁部５３の内面の形状は、図２９に破線で示すと共に図３２に実線で示す内面５１ｄの形状とされる。すなわち、４角の内面の角が円弧状の角とされている。この対面して設けられている下方延伸部５５の間は、直列ユニット本体１０に形成されている両側が切り取られている形状の円板部１３の幅より広くされて、切り取られた部位の円板部１３を嵌挿することができ、嵌挿後に直列ユニット本体１０を回動することにより、円板部１３の周縁が長溝５５ａに回動可能に嵌合されるようになる。なお、台本体部５１の上部および下部における側壁部５３の断面の形状は、図２９に破線で示すと共に図３２に実線で示すように内面５１ｅおよび内面５１ｆは矩形状の形状とされている。
【００３０】
次に、本発明の第２実施例の直列ユニット２の構成を示す斜視図で示す分解組立図を図３５に示す。
第２実施例の直列ユニット２を組み立てるには、直列ユニット本体１０の第１入出力端子１４ａ、ＴＶ端子１４ｂ、第２入出力端子１４ｃに筒状絶縁体４０ａ〜４０ｃをそれぞれ挿通して、これらの端子を同軸プラグが装着可能な同軸コネクタとする。次いで、直列ユニット本体１０の収納空間に回路基板４１を取り付けると共に、回路基板４１への筒状絶縁体４０ａ〜４０ｃの配線を行い、直列ユニット本体１０の下面にケースカバー３０を嵌着するが、これらの組み立て工程は前記した第１実施例の直列ユニット１と同様とされているので、その詳細説明は省略する。
【００３１】
次に、筒状絶縁体４０ａ〜４０ｃおよび回路基板４１が組み込まれ、ケースカバー３０が嵌着された直列ユニット本体１０を端子台５０に取り付ける。この場合、端子台５０に対して約９０°だけ直列ユニット本体１０を回転させて、端子台５０の中央部の下面から円形突出部１２の上面がリング状底部５６ａに当接するまで嵌挿する。これにより、直列ユニット本体１０のＴＶ端子１４ｂが、端子台５０の中央部のリング状底部５６ａに形成されている貫通孔５１ｃ内に挿通されると共に、両側が切り欠かれている円板部１３が、端子台５０の内面５１ｄに沿って下方延伸部５４の間に嵌挿される。また、直列ユニット本体１０の円形突出部１２の外縁に対向して形成されている２つの係合突出部１３ａが、端子台５０の中央部の側壁部５３の内面５１ｄにわずかな間隙をもって対面するようになる。次いで、直列ユニット本体１０を端子台５０に対して回転させていくと、２つの係合突出部１３ａがそれぞれ対面している側壁部５３の内面５１ｄに当接するが、さらに強く回転して行くと当該側壁部５３が係合突出部１３ａにより強く押圧されて、弾性的に外側に変形するようになって、係合突出部１３ａが当該側壁部５３を越えてさらに回転していき、２つの係合突出部１３ａが下方延伸部５５側の側壁部５３にそれぞれ対面するようになる。この時、円板部１３の円弧状の外縁部が端子台５０の下方延伸部５５に形成されている長溝５５ａ内に嵌挿されるようになる。これにより、第２実施例の直列ユニット２を組み立てることができる。
【００３２】
なお、第２実施例の直列ユニット２を組み立てた際には、端子台５０に対して直列ユニット本体１０を所定角度範囲において回動させることができる。この所定角度範囲は、端子台５０に対して直列ユニット本体１０を左回転させた場合は、係合突出部１３ａにおける第１入出力端子１４ａおよび第２入出力端子１４ｃと逆側の端部が、端子台５０の中央部の内面５１ｄに当接するまで回動することができる。また、端子台５０に対して直列ユニット本体１０を右回転させた場合は、係合突出部１３ａにおける第１入出力端子１４ａおよび第２入出力端子１４ｃ側の端部が、端子台５０の中央部の内面５１ｄに当接するまで回動することができる。この時の所定角度範囲は、左方向および右方向にそれぞれ約４０°とされる。このように、直列ユニット本体１０を端子台５０に対して回動可能とされていることから、直列ユニット１０に装着される同軸ケーブルにかかるストレスを小さくすることができる。また、直列ユニット本体１０自体が端子台５０に対して回動可能とされていることから、構成を簡単化して価格を安価にすることができる。
【産業上の利用可能性】
【００３３】
以上説明した本発明にかかる第１実施例の直列ユニット１を取付枠１１２の中央に１つだけ取り付けるようにしたが、取付枠１１２に直列ユニット１を３つまで取り付けることができる。複数の直列ユニット１を取付枠１１２に取り付けた場合は、取付枠１１２の前面を塞ぐ化粧用のカバー１１０は、複数の直列ユニット１に対応して矩形の挿通孔が設けられているカバーに交換する。また、本発明にかかる第２実施例の直列ユニット２は取付枠１１２に１つだけ取り付けることができる。
また、以上説明した本発明の実施例にかかる直列ユニットでは、第１入出力端子と第２入出力端子と
【符号の説明】
【００３４】
１  直列ユニット、２  直列ユニット、１０  直列ユニット本体、１１  本体ケース部、１２  円形突出部、１３  円板部、１３ａ  係合突出部、１４ａ  第１入出力端子、１４ｂ  ＴＶ端子、１４ｃ  第２入出力端子、１５  側壁部、１５ａ  切欠部、１５ｂ  山形延伸部、１５ｃ  挟持リブ、１５ｄ  カバー押さえリブ、１６  リング状溝部、１７  上面部、２０  端子台、２１  台本体部、２１ｂ  円筒状凹部、２１ｃ  貫通孔、２１ｄ  内面、２２  上面部、２３  側壁部、２３ａ  矩形突出部、２３ｂ  係合溝、２４  取付部、２４ａ  係合爪、２５  下方延伸部、２５ａ  長溝、２６  円筒状突出部、２６ａ  リング状底部、３０  ケースカバー、３０ａ  上部、３０ｂ  側部、３０ｃ  傾斜部、３０ｄ  切欠部、４０ａ  筒状絶縁体、４０ｂ  筒状絶縁体、４０ｃ  筒状絶縁体、４１  回路基板、５０  端子台、５１  台本体部、５１ｂ  円筒状凹部、５１ｃ  貫通孔、５１ｄ  内面、５１ｅ  内面、５１ｆ  内面、５２  上面部、５３  側壁部、５３ａ  矩形突出部、５３ｂ  係合溝、５４  下方延伸部、５４  取付部、５４ａ  係合爪、５５  下方延伸部、５５ａ  長溝、５６  円筒状突出部、５６ａ  リング状底部、１００  直列ユニット、１０１ａ  第１端子、１０１ｂ  ＴＶ端子、１０１ｃ  第２端子、１１０  カバー、１１１  スイッチボックス、１１２  取付枠、１１３  同軸ケーブル、１１３ａ  第１プラグ、１１４  同軸ケーブル、１１４ａ  第２プラグ、１１５  ネジ、１１６ａ，１１６ｂ  ボス
【図１】
0005870363.tif 000002
【図２】
0005870363.tif 000003
【図３】
0005870363.tif 000004
【図４】
0005870363.tif 000005
【図５】
0005870363.tif 000006
【図６】
0005870363.tif 000007
【図７】
0005870363.tif 000008
【図８】
0005870363.tif 000009
【図９】
0005870363.tif 000010
【図１０】
0005870363.tif 000011
【図１１】
0005870363.tif 000012
【図１２】
0005870363.tif 000013
【図１３】
0005870363.tif 000014
【図１４】
0005870363.tif 000015
【図１５】
0005870363.tif 000016
【図１６】
0005870363.tif 000017
【図１７】
0005870363.tif 000018
【図１８】
0005870363.tif 000019
【図１９】
0005870363.tif 000020
【図２０】
0005870363.tif 000021
【図２１】
0005870363.tif 000022
【図２２】
0005870363.tif 000023
【図２３】
0005870363.tif 000024
【図２４】
0005870363.tif 000025
【図２５】
0005870363.tif 000026
【図２６】
0005870363.tif 000027
【図２７】
0005870363.tif 000028
【図２８】
0005870363.tif 000029
【図２９】
0005870363.tif 000030
【図３０】
0005870363.tif 000031
【図３１】
0005870363.tif 000032
【図３２】
0005870363.tif 000033
【図３３】
0005870363.tif 000034
【図３４】
0005870363.tif 000035
【図３５】
0005870363.tif 000036
【図３６】
0005870363.tif 000037
【図３７】
0005870363.tif 000038